(57)【特許請求の範囲】
【請求項１】
１つ以上の発光ダイオード及び第１給電電極を有する照明回路と、
バラスト又は電源と第１信号を交換するための第１端子と、
前記第１端子に結合されると共に、前記第１給電電極に結合される第１フィラメント回路とを有する光源であって、前記第１フィラメント回路が、第１スイッチ回路と、前記第１信号内の或る周波数の存在に応じて前記第１スイッチ回路を導通モードにするための第１トリガ回路とを有し、前記第１スイッチ回路が、前記導通モードにおいて、前記光源を作動させるよう前記第１フィラメント回路に第１インピーダンスをもたらし、非導通モードにおいて、前記光源を作動しないようにするよう前記第１フィラメント回路に第２インピーダンスをもたらし、前記第１インピーダンスの値が、前記第２インピーダンスの値より小さく、前記或る周波数が、主電源周波数より大きい光源。
【請求項２】
前記第１フィラメント回路が、第１抵抗器回路を更に有し、前記第１端子が、第１及び第２ピンを有し、前記第１スイッチ回路が、前記第１ピンに結合される第１主電極を有し、前記第１スイッチ回路が、前記第１トリガ回路に結合される第１制御電極を有し、前記第１スイッチ回路が、前記第１抵抗器回路の第１抵抗器電極に結合される第２主電極を有し、前記第１抵抗器回路が、前記第２ピンに結合される第２抵抗器電極を有し、前記第１給電電極が、前記第１抵抗器回路に結合され、前記第１及び第２インピーダンスが、一方における前記第１及び第２ピンのうちの１つと、他方における前記第１給電電極との間に、及び／又は前記第１ピンと前記第２ピンとの間にもたらされる請求項１に記載の光源。
【請求項３】
前記第１スイッチ回路が、トライアックを有し、前記第１抵抗器回路が、１つ以上の抵抗器を有する請求項２に記載の光源。
【請求項４】
前記第１トリガ回路が、前記第１スイッチ回路の前記第１制御電極に結合されると共に、前記第１スイッチ回路の前記第１及び第２主電極のうちの１つに結合される第１コンデンサを有する請求項２に記載の光源。
【請求項５】
前記第１トリガ回路が、第１コンデンサ、第１抵抗器及び第１ダイオードの直列接続を有し、前記直列接続が、前記第１スイッチ回路の前記第１制御電極に結合されると共に、前記第１スイッチ回路の前記第１及び第２主電極のうちの一方に結合され、前記第１フィラメント回路が、第２コンデンサ及び第２抵抗器の並列接続を更に有し、前記並列接続が、前記第１スイッチ回路の前記第１制御電極に結合されると共に、前記第１スイッチ回路の前記第１及び第２主電極のうちの他方に結合される請求項２に記載の光源。
【請求項６】
前記第１トリガ回路が、第１コンデンサ及び第１ダイオードの直列接続を有し、前記直列接続が、前記第１スイッチ回路の前記第１制御電極に結合されると共に、前記第１スイッチ回路の前記第１及び第２主電極のうちの一方に結合され、前記第１フィラメント回路が、第２コンデンサ及び抵抗器の並列接続を更に有し、前記並列接続が、前記第１スイッチ回路の前記第１制御電極に結合されると共に、前記第１スイッチ回路の前記第１及び第２主電極のうちの他方に結合され、前記第１トリガ回路が、前記第１トリガ回路における前記第１コンデンサと前記第１ダイオードとの間の接続部に結合されると共に、前記第１給電電極に結合される第２ダイオードを更に有する請求項２に記載の光源。
【請求項７】
前記第１フィラメント回路が、前記第１スイッチ回路に対して並列に結合される、又は前記第１及び第２ピンに結合される第１起動回路を更に有する請求項２に記載の光源。
【請求項８】
前記第１起動回路が、１つ以上の抵抗器を有する請求項７に記載の光源。
【請求項９】
前記バラスト又は前記電源と第２信号を交換するための第２端子と、
前記第２端子に結合されると共に、前記光源の第２給電電極に結合される第２フィラメント回路とを更に有する請求項１に記載の光源。
【請求項１０】
前記第２フィラメント回路が、第２スイッチ回路と、前記第２信号内の或る周波数の存在に応じて前記第２スイッチ回路を導通モードにするための第２トリガ回路とを有し、前記第２スイッチ回路が、前記導通モードにおいて、前記光源を作動させるよう前記第２フィラメント回路に第３インピーダンスをもたらし、非導通モードにおいて、前記光源を作動しないようにするよう前記第２フィラメント回路に第４インピーダンスをもたらし、前記第３インピーダンスの値が、前記第４インピーダンスの値より小さく、前記或る周波数が、主電源周波数より大きい請求項９に記載の光源。
【請求項１１】
前記第２フィラメント回路が、第２抵抗器回路を更に有し、前記第２端子が、第３及び第４ピンを有し、前記第２スイッチ回路が、前記第３ピンに結合される第３主電極を有し、前記第２スイッチ回路が、前記第２トリガ回路に結合される第２制御電極を有し、前記第２スイッチ回路が、前記第２抵抗器回路の第３抵抗器電極に結合される第４主電極を有し、前記第２抵抗器回路が、前記第４ピンに結合される第４抵抗器電極を有し、前記第２給電電極が、前記第２抵抗器回路に結合され、前記第３及び第４インピーダンスが、一方における前記第３及び第４ピンのうちの１つと、他方における前記第２給電電極との間に、及び／又は前記第３ピンと前記第４ピンとの間にもたらされる請求項１０に記載の光源。
【請求項１２】
前記第２スイッチ回路が、トライアックを有し、前記第２抵抗器回路が、１つ以上の抵抗器を有する請求項１１に記載の光源。
【請求項１３】
前記第２トリガ回路が、前記第２スイッチ回路の前記第２制御電極に結合されると共に、前記第２スイッチ回路の前記第３及び第４主電極のうちの１つに結合される第３コンデンサを有する請求項１１に記載の光源。
【請求項１４】
前記第２フィラメント回路が、前記第２スイッチ回路に対して並列に結合される、又は前記第３及び第４ピンに結合される第２起動回路を更に有し、前記第２起動回路が、１つ以上の抵抗器を有する請求項１１に記載の光源。
【請求項１５】
前記光源が、前記バラストを高周波バラストの形態のままにしながら、蛍光灯に取って代わるように設計されており、前記光源が、主電源の形態の前記電源又は外部直流ドライバの形態の前記電源との接続から保護されると共に、電磁バラストの形態の前記バラストとの接続から保護される請求項１に記載の光源。
【発明の詳細な説明】
【技術分野】
【０００１】
本発明は光源に関する。このような光源の例は、レトロフィット発光ダイオード管である。
【背景技術】
【０００２】
US 2011 / 0260614 A1は、危険なほど高い電圧からの保護を供給する２つの電圧検出器を備えるＬＥＤ管及びランプ装置を開示している。
【０００３】
US 2012 / 0306403 A1は、非ＤＣランプ取り付け具内のＤＣランプに給電するためのドライバ回路を開示している。
【発明の概要】
【発明が解決しようとする課題】
【０００４】
本発明の目的は、光源の誤用に対する内蔵保護部を有する光源を提供することである。
【課題を解決するための手段】
【０００５】
第１の態様によれば、
−  １つ以上の発光ダイオード及び第１給電電極を有する照明回路と、
−  バラスト又は電源と第１信号を交換するための第１端子と、
−  前記第１端子に結合されると共に、前記第１給電電極に結合される第１フィラメント回路とを有する光源であって、前記第１フィラメント回路が、第１スイッチ回路と、前記第１信号内の或る周波数の存在に応じて前記第１スイッチ回路を導通モードにするための第１トリガ回路とを有し、前記第１スイッチ回路が、前記導通モードにおいて、前記光源を作動させるよう前記第１フィラメント回路に第１インピーダンスをもたらし、非導通モードにおいて、前記光源を作動しないようにするよう前記第１フィラメント回路に第２インピーダンスをもたらし、前記第１インピーダンスの値が、前記第２インピーダンスの値より小さく、前記或る周波数が、主電源周波数より大きい光源が提供される。
【０００６】
例えばレトロフィット発光ダイオード管のような前記光源は、照明回路を有する。前記照明回路は、１つ以上の発光ダイオードと、場合によりドライバを介して、前記１つ以上の発光ダイオードに結合される第１給電電極とを有する。前記光源は、バラスト又は電源と第１信号を交換するための第１端子と、前記第１端子に結合されると共に、前記第１給電電極に結合される第１フィラメント回路とを更に有する。従来技術の状況においては、前記第１フィラメント回路は、例えば、１つ以上の抵抗器を有し得る。
【０００７】
前記光源の誤用に対する内蔵保護部を作成するために、前記第１フィラメント回路には、第１スイッチ回路と、第１トリガ回路とが設けられる。前記第１トリガ回路は、前記第１信号内の或る周波数の存在に応じて、前記第１スイッチ回路を導通モードにする。前記第１スイッチ回路は、前記導通モードにおいては、前記第１フィラメント回路に第１の（相対的に小さい）インピーダンスをもたらし、非導通モードにおいては、前記第１フィラメント回路に第２の（相対的に大きい）インピーダンスをもたらす。前記第２の値は、前記第１の値と比べて、例えば、１０倍大きくてもよく、好ましくは、１００倍大きくてもよく、より好ましくは、１０００倍大きくてもよい。前記第１の値の例は、0.01Ω又は0.1Ω又は1Ωなどであってもよく、前記第２の値の例は、10kΩ又は100kΩ又は1MΩなどであってもよい。前記トリガ回路によって検出されるべき前記或る周波数は、主電源周波数より大きく、好ましくは、前記主電源周波数が50Hz又は60Hzである状態で、例えば、1kHz又は10kHz又は20kHz又は50kHzなどのような、２倍又は１０倍以上の大きさである。高周波バラストは、例えば、1kHz又は10kHz又は20kHz又は50kHzなどで動作し、この周波数を有する信号を交換する。
【０００８】
結果として、前記光源が、高周波バラストの形態のバラストに接続される場合には、前記高周波バラストと交換される信号内に、前記主電源周波数より大きい周波数が存在し、前記スイッチ回路がトリガされるだろう。これは、前記第１フィラメント回路への（及び作動される光源への）前記第１の（相対的に小さい）インピーダンスの導入をもたらすだろう。しかし、前記光源が、主電源若しくは外部直流ドライバの形態の電源、又は電磁バラストの形態のバラストに接続される場合には、前記主電源又は前記外部直流ドライバ又は前記電磁バラストと交換される信号内に、前記主電源周波数より大きい周波数は存在せず、前記スイッチ回路はトリガされないだろう。これは、前記第１フィラメント回路への（及び作動しないようにされる光源への）前記第２の（相対的に大きい）インピーダンスの導入をもたらすだろう。このように、前記光源は、誤用から保護され、これは、大きな利点である。
【０００９】
従って、前記光源は、主電源との接続から保護され、外部直流ドライバとの接続から保護され、電磁バラストとの接続から保護され、他の種類の誤用を除外しない。
【００１０】
前記光源の実施例は、前記第１フィラメント回路が、第１抵抗器回路を更に有し、前記第１端子が、第１及び第２ピンを有し、前記第１スイッチ回路が、前記第１ピンに結合される第１主電極を有し、前記第１スイッチ回路が、前記第１トリガ回路に結合される第１制御電極を有し、前記第１スイッチ回路が、前記第１抵抗器回路の第１抵抗器電極に結合される第２主電極を有し、前記第１抵抗器回路が、前記第２ピンに結合される第２抵抗器電極を有し、前記第１給電電極が、前記第１抵抗器回路に結合され、前記第１及び第２インピーダンスが、一方における前記第１及び第２ピンのうちの１つと、他方における前記第１給電電極との間に、及び／又は前記第１ピンと前記第２ピンとの間にもたらされることによって規定される。通常、前記第１及び第２ピンは、前記光源の第１端部に位置する。
【００１１】
前記光源の実施例は、前記第１スイッチ回路が、トライアックを有し、前記第１抵抗器回路が、１つ以上の抵抗器を有することによって規定される。トライアックの代わりに、１つ以上のサイリスタ又は１つ以上のトランジスタが用いられてもよいが、交流環境においては、トライアックが好ましいソリューションである。前記第１抵抗器回路が１つの抵抗器を有する場合には、前記第１給電電極は、前記１つの抵抗器の端部に位置する前記第１及び第２抵抗器電極のうちのいずれか１つに結合され得る。前記第１抵抗器回路が、何らかの直列及び／又は並列接続の２つ以上の抵抗器を有する場合には、前記第１給電電極は、前記２つ以上の抵抗器の間のどこかに位置する中間抵抗器電極にも結合され得る。
【００１２】
前記光源の実施例は、前記第１トリガ回路が、前記第１スイッチ回路の前記第１制御電極に結合されると共に、前記第１スイッチ回路の前記第１及び第２主電極のうちの１つに結合される第１コンデンサを有することによって規定される。コンデンサの代わりに、より複雑な周波数検出器が用いられてもよいが、コンデンサの単純さを考慮すると、コンデンサが、好ましいソリューションである。
【００１３】
前記光源の実施例は、前記第１トリガ回路が、第１コンデンサ、第１抵抗器及び第１ダイオードの直列接続を有し、前記直列接続が、前記第１スイッチ回路の前記第１制御電極に結合されると共に、前記第１スイッチ回路の前記第１及び第２主電極のうちの一方に結合され、前記第１フィラメント回路が、第２コンデンサ及び第２抵抗器の並列接続を更に有し、前記並列接続が、前記第１スイッチ回路の前記第１制御電極に結合されると共に、前記第１スイッチ回路の前記第１及び第２主電極のうちの他方に結合されることによって規定される。この第１フィラメント回路は、主電源又は外部直流ドライバ又は電磁バラストから来る信号が、前記主電源周波数より大きい周波数が短時間存在することをもたらすステップ又はパルスを有する場合にも、保護を供給する。前記第２コンデンサ及び前記第２抵抗器の前記並列接続は、フィルタ回路の役割を果たす。前記フィルタ回路及び拡張された前記第１トリガ回路の組み合わせは、前記第１スイッチ回路の誤ったトリガを防止する。
【００１４】
前記光源の実施例は、前記第１トリガ回路が、第１コンデンサ及び第１ダイオードの直列接続を有し、前記直列接続が、前記第１スイッチ回路の前記第１制御電極に結合されると共に、前記第１スイッチ回路の前記第１及び第２主電極のうちの一方に結合され、前記第１フィラメント回路が、第２コンデンサ及び抵抗器の並列接続を更に有し、前記並列接続が、前記第１スイッチ回路の前記第１制御電極に結合されると共に、前記第１スイッチ回路の前記第１及び第２主電極のうちの他方に結合され、前記第１トリガ回路が、前記第１トリガ回路における前記第１コンデンサと前記第１ダイオードとの間の接続部に結合されると共に、前記第１給電電極に結合される第２ダイオードを更に有することによって規定される。この第２ダイオードを介して、両方のダイオードが低電圧ダイオードであり得るような電荷ポンプが実現されている。
【００１５】
前記光源の実施例は、前記第１フィラメント回路が、前記第１スイッチ回路に対して並列に結合される、又は前記第１及び第２ピンに結合される第１起動回路を更に有することによって規定される。前記第１起動回路は、高周波バラストの形態のバラストに接続されているときの前記光源の起動を改善する。
【００１６】
前記光源の実施例は、前記第１起動回路が、１つ以上の抵抗器を有することによって規定される。前記第１起動回路は、１つの抵抗器を有してもよく、又は何らかの直列及び／若しくは並列接続の２つ以上の抵抗器を有してもよい。前記１つ以上の抵抗器の各々は、通常の抵抗器又は正の温度係数の抵抗器を有し得る。
【００１７】
前記光源の実施例は、
−  前記バラスト又は前記電源と第２信号を交換するための第２端子と、
−  前記第２端子に結合されると共に、前記光源の第２給電電極に結合される第２フィラメント回路とを更に有することによって規定される。
【００１８】
前記光源の実施例は、前記第２フィラメント回路が、第２スイッチ回路と、前記第２信号内の或る周波数の存在に応じて前記第２スイッチ回路を導通モードにするための第２トリガ回路とを有し、前記第２スイッチ回路が、前記導通モードにおいて、前記光源を作動させるよう前記第２フィラメント回路に第３インピーダンスをもたらし、非導通モードにおいて、前記光源を作動しないようにするよう前記第２フィラメント回路に第４インピーダンスをもたらし、前記第３インピーダンスの値が、前記第４インピーダンスの値より小さく、前記或る周波数が、主電源周波数より大きいことによって規定される。
【００１９】
前記光源の実施例は、前記第２フィラメント回路が、第２抵抗器回路を更に有し、前記第２端子が、第３及び第４ピンを有し、前記第２スイッチ回路が、前記第３ピンに結合される第３主電極を有し、前記第２スイッチ回路が、前記第２トリガ回路に結合される第２制御電極を有し、前記第２スイッチ回路が、前記第２抵抗器回路の第３抵抗器電極に結合される第４主電極を有し、前記第２抵抗器回路が、前記第４ピンに結合される第４抵抗器電極を有し、前記第２給電電極が、前記第２抵抗器回路に結合され、前記第３及び第４インピーダンスが、一方における前記第３及び第４ピンのうちの１つと、他方における前記第２給電電極との間に、及び／又は前記第３ピンと前記第４ピンとの間にもたらされることによって規定される。通常、前記第３及び第４ピンは、前記光源の第２端部に位置し、前記第１及び第２端部は、両端部である。
【００２０】
前記光源の実施例は、前記第２スイッチ回路が、トライアックを有し、前記第２抵抗器回路が、１つ以上の抵抗器を有することによって規定される。
【００２１】
前記光源の実施例は、前記第２トリガ回路が、前記第２スイッチ回路の前記第２制御電極に結合されると共に、前記第２スイッチ回路の前記第３及び第４主電極のうちの１つに結合される第３コンデンサを有することによって規定される。
【００２２】
前記光源の実施例は、前記第２フィラメント回路が、前記第２スイッチ回路に対して並列に結合される、又は前記第３及び第４ピンに結合される第２起動回路を更に有し、前記第２起動回路が、１つ以上の抵抗器を有することによって規定される。
【００２３】
前記光源の実施例は、前記光源が、前記バラストを高周波バラストの形態のままにしながら、蛍光灯に取って代わるように設計されており、前記光源が、主電源の形態の前記電源又は外部直流ドライバの形態の前記電源との接続から保護されると共に、電磁バラストの形態の前記バラストとの接続から保護されることによって規定される。
【００２４】
洞察は、高周波バラストに接続されるよう設計される光源は、主電源との接続から保護されるべきであり、外部直流ドライバとの接続から保護されるべきであり、電磁バラストとの接続から保護されるべきであるといものである。基本的なアイデアは、第１フィラメント回路が、高周波バラストと交換される前記第１信号内の、主電源周波数より大きい周波数の存在に応じて、相対的に小さいインピーダンスをもたらすべきであり、前記周波数の不在に応じて、相対的に大きいインピーダンスをもたらすべきであるというものである。
【００２５】
光源の誤用に対する内蔵保護部を有する光源を提供する課題が、解決されている。他の利点は、光源が、単純で、ロバストで、低コストであり得るというものである。
【００２６】
下記の実施例を参照して、本発明のこれら及び他の態様を説明し、明らかにする。
【図面の簡単な説明】
【００２７】
【図１】第１不良状態を示す。
【図２】第２不良状態を示す。
【図３】第３不良状態を示す。
【図４】第４不良状態を示す。
【図５】第５不良状態を示す。
【図６】正常な状態を示す。
【図７】従来技術のフィラメント回路を示す。
【図８】別の従来技術のフィラメント回路を示す。
【図９】光源及び高周波バラストを示す。
【図１０】フィラメント回路の第１実施例を示す。
【図１１】フィラメント回路の第２実施例を示す。
【図１２】フィラメント回路の第３実施例を示す。
【図１３】フィラメント回路の第４実施例を示す。
【図１４】フィラメント回路の第５実施例を示す。
【図１５】フィラメント回路の第６実施例を示す。
【図１６】フィラメント回路の第７実施例を示す。
【図１７】フィラメント回路の第８実施例を示す。
【発明を実施するための形態】
【００２８】
図１には、第１不良状態が示されている。高周波バラストに結合されるよう設計されている光源１が、その代わりに、電磁バラスト３に結合されている。光源１は、電磁バラスト３の別の側部が主電源４の別の側部に結合されている状態で、主電源４の或る側部、始動器６の或る側部、始動器６の別の側部、及び電磁バラスト３の或る側部に結合されている4つのピンを有する。この場合には、光源１は、損傷を受け得る、且つ／又は安全ではなくなり得る。
【００２９】
図２には、第２不良状態が示されている。高周波バラストに結合されるよう設計されている光源１が、その代わりに、電源４に結合されている。光源１は、光源１の両側に、主電源４に結合されている２つのピンを有し、且つ光源１の両側に、互いに結合されている２つの他のピンを有する。この場合には、光源１は、損傷を受け得る、且つ／又は安全ではなくなり得る。
【００３０】
図３には、第３不良状態が示されている。高周波バラストに結合されるよう設計されている光源１が、その代わりに、電源４に結合されている。光源１は、光源１の一方の側部に、主電源４に結合されている２つのピンを有し、且つ光源１の他方の側部に、オープンなままになっている２つの他のピンを有する。この場合には、光源１は、損傷を受け得る、且つ／又は安全ではなくなり得る。
【００３１】
図４には、第４不良状態が示されている。高周波バラストに結合されるよう設計されている光源１が、その代わりに、外部直流ドライバ５に結合されている。光源１は、光源１の一方の側部に、外部直流ドライバ５に結合されている２つのピンを有し、且つ光源１の他方の側部に、オープンなままになっている２つの他のピンを有する。直流電流源又はＤＣ電源などの外部直流ドライバ５は、主電源４に結合されている。この場合には、光源１は、損傷を受け得る、且つ／又は安全ではなくなり得る。
【００３２】
図５には、第５不良状態が示されている。高周波バラストに結合されるよう設計されている光源１が、その代わりに、外部直流ドライバ５に結合されている。光源１は、光源１の両側に、外部直流ドライバ５に結合されている２つのピンを有し、且つ光源１の両側に、オープンなままになっている２つの他のピンを有する。直流電流源又はＤＣ電源などの外部直流ドライバ５は、主電源４に結合されている。この場合には、光源１は、損傷を受け得る、且つ／又は安全ではなくなり得る。
【００３３】
図６には、正常な状態が示されている。高周波バラストに結合されるよう設計されている光源１が、実際に、このような高周波バラスト２に結合されている。光源１は、光源１の両側に、高周波バラスト２の４つの二次端子に結合されている４つのピンを有する。高周波バラスト２の２つの一次端子は、主電源４に結合されている。この場合には、光源１は、損傷を受けず、且つ動作させても安全である。
【００３４】
図７には、従来技術のフィラメント回路が示されている。フィラメント回路は、通常、光源の第１ピン２１及び第２ピン２２を有する端子２１、２２を、１つ以上の発光ダイオードを有する照明回路の第１給電電極１３に結合する。この従来技術のフィラメント回路は、４つの抵抗器の直列結合部と、４つの抵抗器及び正の温度係数の抵抗器の直列結合部とを有する。
【００３５】
図８には、別の従来技術のフィラメント回路が示されている。この従来技術のフィラメント回路は、４つの抵抗器の直列結合部と、４つの抵抗器及びヒューズの直列結合部とを有する。
【００３６】
図９には、光源１及び高周波バラスト２が示されている。光源１は、場合によってはドライバ１５を介して第１及び第２給電電極１３、１４に結合される１つ以上の発光ダイオード１２を備える照明回路１１を有する。光源１は、高周波バラスト２と第１信号を交換するための第１ピン２１及び第２ピン２２を有する第１端子２１、２２と、第１端子２１、２２及び第１給電電極１３を結合するための第１フィラメント回路３１とを更に有する。光源１は、高周波バラスト２と第２信号を交換するための第３ピン２３及び第４ピン２４を有する第２端子２３、２４と、第２端子２３、２４及び第２給電電極１４を結合するための第２フィラメント回路４１とを更に有する。高周波バラスト２は、主電源４に結合されている。
【００３７】
図１乃至５に示されている状態から光源１を保護するため、図７及び８に示されている従来技術のフィラメント回路は、図１０乃至１７に示されているように修正されるべきである。
【００３８】
図１０には、フィラメント回路３１の第１実施例が示されている。第１フィラメント回路３１は、第１スイッチ回路３２と、第１信号内の或る周波数の存在に応じて第１スイッチ回路３２を導通モードにするための第１トリガ回路３３とを有する。第１スイッチ回路３２は、導通モードにおいては、第１の相対的に小さいインピーダンスを第１フィラメント回路３１にもたらし、非導通モードにおいては、第２の相対的に大きいインピーダンスを第１フィラメント回路３１にもたらす。前記或る周波数は、主電源周波数より大きい。
【００３９】
結果として、光源１が高周波バラスト２に接続される場合には、第１トリガ回路３３は、高周波バラスト２と交換される第１信号内の、主電源周波数より大きい周波数の存在を検出し、第１スイッチ回路３２をトリガするだろう。第１スイッチ回路３２は、トリガされるのに応じて、導通モードになり、光源１は、損傷を受けずに適切に機能するだろう。しかし、光源１が図１乃至５に示されているように接続される場合には、第１トリガ回路３３は、高周波バラスト２と交換される第１信号において、主電源周波数より大きい周波数の存在を検出せず、第１スイッチ回路３２をトリガしないだろう。第１スイッチ回路３２は、非導通モードのままであり、光源１は、機能しないが、損傷を受けないだろう。
【００４０】
相対的に小さいインピーダンス及び相対的に大きいインピーダンスは、一方における第１及び第２ピン２１、２２のうちの１つと、他方における第１給電電極１３との間に、及び／又は第１ピン２１と第２ピン２２との間にもたらされる。
【００４１】
好ましくは、第１フィラメント回路３１は、第１フィラメント回路３１内に最小直流インピーダンス又はＤＣインピーダンスをもたらすために、及び第１フィラメント回路３１内に流れる電流の最大振幅を制限するために、第１抵抗器回路３４を更に有し得る。第１スイッチ回路３２は、第１ピン２１に結合される第１主電極を有してもよく、第１トリガ回路３３に結合される第１制御電極を有してもよく、第１抵抗器回路３４の第１抵抗器電極に結合される第２主電極を有してもよい。第１抵抗器回路３４の第２抵抗器電極は、第２ピン２２に結合されている。第１給電電極１３は、第１抵抗器回路３４に結合され得る。第１スイッチ回路３２は、トライアックを有してもよく、第１抵抗器回路３４は、１つ以上の抵抗器を有してもよい。第１抵抗器回路３４が１つの抵抗器を有する場合には、第１給電電極１３は、１つの抵抗器の端部に位置する第１及び第２抵抗器電極のいずれか１つに結合され得る。第１抵抗器回路３４が、何らかの直列及び／又は並列接続の２つ以上の抵抗器を有する場合には、第１給電電極１３は、２つ以上の抵抗器の間のどこかに位置する中間抵抗器電極にも結合され得る。
【００４２】
好ましくは、第１トリガ回路３３は、第１スイッチ回路３２の第１制御電極に結合されると共に、第１スイッチ回路３２の第１及び第２主電極のうちの１つに結合される第１コンデンサを有してもよい。第１フィラメント回路３１は、第１スイッチ回路３２に対して並列に結合される第１起動回路３６を更に有してもよい。第１起動回路３６は、何らかの直列及び／又は並列接続の１つ以上の抵抗器を有し得る。第１起動回路３６の１つ以上の抵抗器の各々は、通常の抵抗器又は正の温度係数の抵抗器を有し得る。
【００４３】
或る特定の種類の第１スイッチ回路３２を誤ってトリガすることを防止するために、第１スイッチ回路３２の第１制御電極及び第１給電電極１３に、随意の抵抗器が付加及び結合されてもよい。
【００４４】
図１１には、フィラメント回路３１の第２実施例が示されている。この第２実施例は、第１起動回路３６が第１及び第２ピン２１、２２に結合される点で、図１０に示されている第１実施例と異なる。この場合もまた、第１起動回路３６は、何らかの直列及び／又は並列接続の１つ以上の抵抗器を有し得る。この場合もまた、第１起動回路３６の１つ以上の抵抗器の各々は、通常の抵抗器又は正の温度係数の抵抗器を有し得る。
【００４５】
図１０及び１１においては、第１抵抗器回路３４は、第２ピン２２と第１給電電極１３との間に位置する１つの抵抗器を有する。
【００４６】
図１２には、フィラメント回路３１の第３実施例が示されている。この第３実施例は、第１抵抗器回路３４が第１スイッチ回路３２と第１給電電極１３との間に位置する１つの抵抗器を有する点で、図１０及び１１に示されている第１及び第２実施例と異なる。
【００４７】
図１３には、フィラメント回路３１の第４実施例が示されている。この第４実施例は、第１抵抗器回路３４が２つの抵抗器を有し、前記２つの抵抗器のうちの一方が第１スイッチ回路３２と第１給電電極１３との間に位置し、前記２つの抵抗器のうちの他方が第２ピン２２と第１給電電極１３との間に位置する点で、図１０乃至１２に示されている第１、第２及び第３実施例と異なる。
【００４８】
図１４には、フィラメント回路３１の第５実施例が示されている。この第５実施例は、第１抵抗器回路３４が２つの枝路の並列接続を有し、各枝路が２つの直列結合抵抗器を有する点、及び第１起動回路３６が４つの直列結合抵抗器を有する点で、図１０に示されている第１実施例と異なる。
【００４９】
図１５には、フィラメント回路３１の第６実施例が示されている。この第６実施例は、第１抵抗器回路３４が２つの枝路の並列接続を有し、各枝路が２つの直列結合抵抗器を有する点、及び第１起動回路３６が４つの直列結合抵抗器を有する点で、図１１に示されている第２実施例と異なる。
【００５０】
図１６には、フィラメント回路３１の第７実施例が示されている。この第７実施例は、第１トリガ回路３３が、第１コンデンサ、第１（電流制限）抵抗器及び第１（整流）ダイオードの直列接続を有する点で、図１０に示されている第１実施例と異なる。この直列接続は、第１スイッチ回路３２の第１制御電極に結合されると共に、第１スイッチ回路３２の第１及び第２主電極のうちの一方に結合される。この第１フィラメント回路３１は、第２コンデンサ及び第２抵抗器の並列接続３５を更に有する。この並列接続３５は、第１スイッチ回路３２の第１制御電極に結合されると共に、第１スイッチ回路３２の第１及び第２主電極のうちの他方に結合される。この第７実施例は、主電源４又は外部直流ドライバ５又は電磁バラスト３から来る信号が、主電源周波数より大きい周波数が短時間存在することをもたらすステップ又はパルスを有する場合にも、保護を供給する。第２コンデンサ及び第２抵抗器の並列接続３５は、フィルタ回路の役割を果たす。フィルタ回路及び拡張第１トリガ回路３３の組み合わせは、第１スイッチ回路３２の誤ったトリガを防止する。
【００５１】
図１７には、フィラメント回路３１の第８実施例が示されている。この第８実施例は、第１トリガ回路３３において、第１（電流制限）抵抗器が省かれている点、及び第１トリガ回路３３における第１コンデンサと第１（整流）ダイオードとの間の接続部が、第２ダイオードを介して第１給電電極１３に結合されている点で、図１６に示されている第７実施例と異なる。この第２ダイオードを介して、両方のダイオードが低電圧ダイオードであり得るような電荷ポンプが実現されている。更に、第１起動回路３６は、ここでは、第１及び第２ピン２１、２２に結合されている正の温度係数の抵抗器を有する。
【００５２】
従って、第１トリガ回路３３は、好ましくは、場合により第１ダイオードで拡張され、更に場合により第１（電流制限）抵抗器及び／又は第２ダイオードで拡張される、コンデンサを有し得る。
【００５３】
図１０乃至１７に示されている第１乃至第８実施例は、図９に示されている第２フィラメント回路４１にも導入され得る。第１及び第２フィラメント回路３１、４１は、同一の実施例によって、又は異なる実施例によって、実現され得る。トライアックの形態の第１スイッチ回路３２、及びコンデンサを有する第１トリガ回路３３は、単純且つ低コストな実施例であるが、他の種類のスイッチ回路及びトリガ回路も、可能であり、除外されるべきではない。第１及び第２素子は、第３素子がそれらの間に結合されずに直接結合されてもよく、又は第３素子を介して間接的に結合されてもよい。２つ以上の抵抗器の組み合わせは、１つの抵抗器と比べて、より高い電圧及び／又はより大量の電力に耐えることができる。
【００５４】
要約すると、レトロフィット発光ダイオード管などの光源１は、発光ダイオード１２及び給電電極１３、１４を備える照明回路１１と、バラスト２、３又は電源４、５と信号を交換するための端子２１乃至２４と、前記端子２１乃至２４及び前記給電電極１３、１４を結合するためのフィラメント回路３１、４１とを有する。前記フィラメント回路３１、４１は、スイッチ回路３２と、前記信号内の或る周波数の存在に応じて、前記第１フィラメント回路３１、４１に相対的に低いインピーダンスをもたらすよう前記スイッチ回路３２を導通モードにするためのトリガ回路３３とを有する。非導通モードにおいては、前記スイッチ回路３２は、相対的に大きいインピーダンスをもたらす。このように、前記光源１が高周波バラスト２に接続される場合には、前記スイッチ回路３２はトリガされ、前記光源１は正常に作動される。前記光源１が、主電源４又は外部直流ドライバ５又は電磁バラスト３に接続される場合には、前記スイッチ回路３２はトリガされず、前記光源１は、作動されず、損傷から保護される。
【００５５】
本発明を、図面において図示し、上記の説明において詳細に説明しているが、このような図及び説明は、説明的なもの又は例示的なものとみなされるべきであって、限定するものとみなされるべきではない。本発明は、開示されている実施例に限定されない。請求項に記載の発明を実施する当業者は、図面、明細及び添付の請求項の研究から、開示されている実施例に対する他の変形を、理解し、達成し得る。請求項において、「有する」という用語は、他の要素又はステップを除外せず、単数形表記は、複数の存在を除外しない。単に、特定の手段が、相互に異なる従属請求項において引用されているという事実は、これらの手段の組み合わせが有利になるように用いられることができないことを示すものではない。請求項におけるいかなる参照符号も、範囲を限定するものとして解釈されてはならない。
【図１】
0006493924.tif 000002
【図２】
0006493924.tif 000003
【図３】
0006493924.tif 000004
【図４】
0006493924.tif 000005
【図５】
0006493924.tif 000006
【図６】
0006493924.tif 000007
【図７】
0006493924.tif 000008
【図８】
0006493924.tif 000009
【図９】
0006493924.tif 000010
【図１０】
0006493924.tif 000011
【図１１】
0006493924.tif 000012
【図１２】
0006493924.tif 000013
【図１３】
0006493924.tif 000014
【図１４】
0006493924.tif 000015
【図１５】
0006493924.tif 000016
【図１６】
0006493924.tif 000017
【図１７】
0006493924.tif 000018